(57)【要約】【課題】  蚊帳を吊り下げることなく簡単容易に設置できると共に、大小の大きさ及び高さにも対応ができるようにした蚊帳を提供しようとする。【解決手段】  自立スタンド２と覆い布３より成り、自立スタンド２は、天面３１が矩形の天面支持枠２１と隅部に起立した支柱２２で構成する。覆い布３は下面が開放され、前記支持枠２１より稍大きい矩形で周囲に垂下した囲繞面３２とで形成し、自立スタンド２に覆い布３を被設して使用する。【選択図】  図１
0003149272.tif 000002
【実用新案登録請求の範囲】
【請求項１】
自立スタンドと覆い布より成り、自立スタンドは、矩形の天面支持枠と隅部に起立した支柱で構成し、覆い布は下面が開放され、天面が前記支持枠より稍大きい矩形で周囲に垂下した囲繞面とで形成し、自立スタンドに覆い布を被設して使用することを特徴とする蚊帳。
【請求項２】
自立スタンドの隅部を、天面支持枠の突合する枠バーと支柱のポールを着脱自在に三方向ジョイントで連結し、組立・解体を可能にしたことを特徴とする請求項１記載の蚊帳。
【請求項３】
天面支持枠の各枠バー及び／又は支柱を伸縮可能に構成し、枠バーの長さ及び／又は支柱の長さを調節できるようにしたことを特徴とする請求項１又は２記載の蚊帳。
【請求項４】
覆い布の天面隅部に結索紐を有し、自立スタンドの隅部と係止し覆い布の浮き上がりを防止したことを特徴とする請求項１乃至３のいずれかに記載の蚊帳。
【請求項５】
囲繞面の一面を、上端縁が天面に連結した隅部から伸びる二枚の垂下面で構成し、互いの先部が重合して出入口を形成したことを特徴とする請求項１乃至４のいずれかに記載の蚊帳。
【考案の詳細な説明】
【技術分野】
【０００１】
本考案は蚊帳に関するものである。
【背景技術】
【０００２】
従来の蚊帳は蚊帳本体の天面の隅部や必要により中間部に吊り下用環を設け、天井面近くに吊り下げるための鉤や紐体を用意しておき、吊り下用環を吊り下げて蚊帳を設置するものであった。
また、ベッド用の蚊帳においても、ベッドと一体的にベッド上に枠体を組んで、天面をカバーすると共に、ベッドの周囲に側面布を垂下したものや、蚊帳の下部はベッドを包むように垂下して開くことを利用し、天部の１点で天井から吊り具で吊り下げるようにしたもの、或いは吊り下げ用のポールを設置して吊り下げるもの（例えば、特許文献１参照）等がある。
【先行技術文献】
【特許文献】
【０００３】
【特許文献１】特開２００４−２３０１００号（第５頁、図１）
【考案の概要】
【考案が解決しようとする課題】
【０００４】
従来の蚊帳において、特に布団を畳等に敷いて蚊帳を設置する場合は、天井や壁に吊り下げ用の手段をとり付けて置く必要があるため、部屋の一部を傷つけることとなってしまい、又、不体裁でもあり、更に、借家等では回避しなければならない事柄でもある。
この様な点が問題視され、近時再認識されて来ている蚊帳の利用に妨げとなっているのである。
【０００５】
そこで、本考案は従来のように、蚊帳を吊り下げることなく簡単容易に設置できると共に、大小の大きさ及び高さにも対応ができるようにした蚊帳を提供しようとするものである。
【課題を解決するための手段】
【０００６】
本考案の請求項１の蚊帳の考案は、自立スタンドと覆い布より成り、自立スタンドは、矩形の天面支持枠と隅部に起立した支柱で構成し、覆い布は下面が開放され、天面が前記支持枠より稍大きい矩形で周囲に垂下した囲繞面とで形成し、自立スタンドに覆い布を被設して使用することを特徴とするものである。
【０００７】
また、請求項２の蚊帳の考案は、請求項１において、自立スタンドの隅部を、天面支持枠の突合する枠バーと支柱のポールを着脱自在に三方向ジョイントで連結し、組立・解体を可能にしたことを特徴とするものである。
【０００８】
また、請求項３の蚊帳の考案は、請求項１又は２において、天面支持枠の各枠バー及び／又は支柱を伸縮可能に構成し、枠バーの長さ及び／又は支柱の長さを調節できるようにしたことを特徴とするものである。
【０００９】
そして、請求項４の考案は、請求項１乃至３において、覆い布の天面隅部に結索紐を有し、自立スタンドの隅部と係止し覆い布の浮き上がりを防止したことを特徴とするものである。
【００１０】
さらに、請求項５の考案は、請求項１乃至４において、囲繞面の一面を、上端縁が天面に連結した隅部から伸びる二枚の垂下面で構成し、互いの先部が重合して出入口を形成したことを特徴とするものである。
【考案の効果】
【００１１】
請求項１の考案は、自立スタンドに覆い布を被せるだけで容易に蚊帳を形成でき、天面支持枠で覆い布の天井面を弛み無く支持でき、側周の囲繞面も隅部の支柱で張った状態で蚊帳を安定して設置できる効果を有するものである。
【００１２】
請求項２の考案は、自立スタンドの隅部を、天面支持枠の突合する枠バーと支柱のポールを着脱自在に三方向ジョイントで連結したため、自立スタンドの組み立て式となって、使用時に組み立てて使用し、不使用時には分解して構成部材が棒状態となるため収納保存に至便となる格別の効果を有するものである。
【００１３】
請求項３の考案は、天面支持枠の各枠バーを伸縮自在に構成し、枠バーの長さを調節できるようにしたものであるから、例えば、８畳用とか、６畳用の蚊帳の大きさに合わせて天面支持枠の大きさを調節して使用でき汎用性を有すると共に、不使用時には出来るだけ短くして保存できる格別の効果を発揮するものとなる。
又、支柱を伸縮自在に構成し、支柱の長さを調節できるようにしたものであるから、例えば、布団やベッドのように低いものから複数段のベッドのように高いものまで、天面支持枠の高さを調節して使用でき汎用性を有すると共に、不使用時には出来るだけ低くして保存できる格別の効果を発揮するものとなる。
【００１４】
請求項４の考案は、覆い布の天面隅部に結索紐を有し、自立スタンドの隅部と係止し覆い布の浮き上がりを防止できる格別の効果を有し、また、この覆い布を裏返せば通常の蚊帳として、この結索紐を利用して吊り下げて使用することも可能となる効果も有する。
【００１５】
請求項５の考案は、二枚の垂下面で構成した互いの先部の重合部分をかき分け、開口して出入りが可能であり、先部同士が重合して外部を閉鎖しているため虫の蚊帳内への侵入を阻止する効果を有する。
また、ベッドに設置しても、重合部分が天面まで大きく開くため容易に出入りできる効果も有する。
【図面の簡単な説明】
【００１６】
【図１】本考案の実施の一形態を示す斜視図である。
【図２】本考案の自立スタンドの斜視図である。
【図３】本考案の別の実施形態の自立スタンドの斜視図である。
【図４】本考案の自立スタンドの要部斜視図である。
【図５】図１の隅部の一部きり欠いた正面図である。
【図６】覆い布を裏返して使用した場合における正面図である。
【考案を実施するための形態】
【００１７】
本考案の実施の形態を図面に基づいて説明する。
図１は本考案の実施の一形態を示す斜視図であり、蚊帳１は、自立スタンド２と覆い布３より成り、自立スタンド２は、矩形の天面支持枠２１と隅部に起立した支柱２２で構成し、覆い布３は下面が開放され、天面３１が前記支持枠２１より稍大きい矩形で周囲に垂下した囲繞面３２とで形成し、自立スタンド２に覆い布３を被設して使用するものである。
【００１８】
図２に示すように、自立スタンド２の隅部を形成する天面支持枠２１の突合する枠バーと支柱２２のポールを着脱自在に三方向ジョイント２３で連結し、組立・解体を可能にしている。
三方向ジョイント２３は筒状腕が隅部を形成する三方向に９０度角で配置した形態を有し、天面支持枠２１の突合する枠バー及び支柱２２のポールの先端部を筒状腕に挿脱して組立・解体を行う。
三方向ジョイント２３は、各筒状腕に挿脱するポールを一目で識別できるように、各筒状腕に識別番号１、２、３が凸設されている。
【００１９】
また、天面支持枠２１を形成する各枠バーは伸縮自在とし、枠バーの長さを調節することにより、例えば、８畳用とか、６畳用の蚊帳の大きさに合わせた天面支持枠２１を形成して使用できる汎用性をもたせることもできる。
さらに、図３の別の実施形態の自立スタンド２のように、各支柱２２が伸縮自在になっていてもよい。支柱２２の長さを調節することにより、例えば、布団やベッドのように低いものから複数段のベッドのように高いものまで、天面支持枠２１の高さを調節して使用でき汎用性をもたせることもできる。
棒体を伸縮出来るようにする構成・手段には公知のものが多種存在し、適宜選択して枠バーに利用可能である。
【００２０】
覆い布３は蚊帳に用いられている従来通りのメッシュ状の織布で形成され、例えばナイロン糸、綿糸や麻糸等を１種又は2種以上選択して織製したものを使用する。
天面隅部の内面側には６箇所に結索紐４を有し、この結索紐４を自立スタンド２の支柱２２、三方向ジョイント２３又は枠バーに結索することで、覆い布３の浮き上がりを防止することができる。
本実施形態では、天面隅部の内面側には６箇所に結索紐４を有するが、結索紐４の設置箇所は６箇所に限定されることなく、覆い布３の大きさに応じて結索紐の設置箇所数を変更してもよい。
又、図６に示すように、裏返せば従来通りの蚊帳の形態となるため、例えば、角に位置する４個の該結索紐４を利用して吊り下げることで、覆い布３単独での使用も可能となっている。
【００２１】
さらに、蚊帳１の覆い布３の囲繞面３２の一面を、上端縁が天面３１と連結し、隅部から延伸する二枚の垂下面３２Ａと３２Ｂで構成し、互いの先部３３Ａ、３３Ｂが重合して出入口を形成している。
先部３３Ａ、３３Ｂ同士が重合して該部を閉鎖しているため虫の蚊帳１内への侵入を阻止すると共に、重合部分が天面３１まで大きく開くため容易に出入りできるものとなる。
【００２２】
以上説明した本考案の技術的範囲は、上記の実施の形態例に限定されるものではなく、本明細書及び図面に記載した事項から明らかになる本考案が真に意図する技術的思想の範囲全体に、広く及ぶものである。
【符号の説明】
【００２３】
１            蚊帳
２            自立スタンド
２１            天面支持枠
２２            支柱
２３            三方向ジョイント
３            覆い布
３１            天面
３２            囲繞面
３２Ａ、３２Ｂ  垂下面
３３Ａ、３３Ｂ  先部
４            結索紐
【図１】
0003149272.tif 000003
【図２】
0003149272.tif 000004
【図３】
0003149272.tif 000005
【図４】
0003149272.tif 000006
【図５】
0003149272.tif 000007
【図６】
0003149272.tif 000008